【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
以下の構造（Ｉ）：
【化１】
2019522688.tif 000001
を有する化合物、またはその立体異性体、塩もしくは互変異性体であって、ここで
Ｍは、各存在において、独立して、２個またはこれより多くの炭素−炭素二重結合および少なくとも１の共役度を含む一価の部分であり；
Ｍ′は、各存在において、独立して、２個またはこれより多くの炭素−炭素二重結合および少なくとも１の共役度を含む二価の部分であり；
Ｌ、Ｌ2およびＬ3は、各存在において、独立して、選択肢的なアルキレン、アルケニレン、アルキニレン、ヘテロアルキレン、ヘテロアルケニレン、ヘテロアルキニレンまたはヘテロ原子リンカーであり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ4は、各存在において、独立して、アルキレン、アルケニレン、アルキニレン、ヘテロアルキレン、ヘテロアルケニレン、炭素環式または複素環式リンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護されたアナログを含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍ1およびｍ2は、各存在において、独立して、０またはこれより大きな整数であり；
ｎ、ｘおよびｙは、各々独立して、ｚの各整数値に対して０またはこれより大きな整数であり；そして
ｚは、１またはこれより大きな整数であるが、
ただしｘは、ｚの少なくとも１個の整数値に対して１またはこれより大きく、かつｎまたはｙのうちの少なくとも一方は、ｚの少なくとも１個の整数値に対して１またはこれより大きい、
化合物、またはその立体異性体、塩もしくは互変異性体。
【請求項２】
以下の構造（ＩＡ）：
【化２】
2019522688.tif 000002
を有し、ここでｙは、１またはこれより大きな整数である、請求項１に記載の化合物。
【請求項３】
Ｍ′は、各存在において、独立して、二価：ジメチルアミノスチルベン、キナクリドン、フルオロフェニル−ジメチル−ＢＯＤＩＰＹ、ｈｉｓ−フルオロフェニル−ＢＯＤＩＰＹ、アクリジン、テリレン、セキシフェニル、ポルフィリン、ベンゾピレン、（フルオロフェニル−ジメチル−ジフルオロボラ−ジアザ−インダセン）フェニル、（ビス−フルオロフェニル−ジフルオロボラ−ジアザ−インダセン）フェニル、クアテルフェニル、ビ−ベンゾチアゾール、ター−ベンゾチアゾール、ビ−ナフチル、ビ−アントラシル、スクアライン、スクアリリウム、９，１０−エチニルアントラセンまたはター−ナフチル部分である、請求項１〜２のいずれか１項に記載の化合物。
【請求項４】
Ｍ′は、各存在において、独立して、二価：ピレン、ペリレン、ペリレンモノイミドもしくは６−ＦＡＭ、またはこれらの誘導体である、請求項１〜２のいずれか１項に記載の化合物。
【請求項５】
Ｍ′は、各存在において、独立して、以下の構造：
【化３】
2019522688.tif 000003
のうちの１つを有する、請求項１〜２のいずれか１項に記載の化合物。
【請求項６】
Ｍ′は、各存在において、以下の構造：
【化４】
2019522688.tif 000004
を有する、請求項１〜２のいずれか１項に記載の化合物。
【請求項７】
Ｒ4は、各存在において、独立して、ＯＨ、Ｏ-またはＯＲdである、請求項１〜６のいずれか１項に記載の化合物。
【請求項８】
Ｒ5は、各存在において、オキソである、請求項１〜７のいずれか１項に記載の化合物。
【請求項９】
Ｒ2およびＲ3は、各々独立して、ＯＨまたは−ＯＰ（＝Ｒa）（Ｒb）Ｒcである、請求項１〜８のいずれか１項に記載の化合物。
【請求項１０】
Ｒ2またはＲ3のうちの一方は、ＯＨまたは−ＯＰ（＝Ｒa）（Ｒb）Ｒcであり、Ｒ2またはＲ3のうちの他方は、ＱまたはＱへの共有結合を含むリンカーである、請求項１〜８のいずれか１項に記載の化合物。
【請求項１１】
Ｑは、表１から選択される部分である、請求項１〜８または１０のいずれか１項に記載の化合物。
【請求項１２】
Ｒ2またはＲ3のうちの一方は、ＯＨまたは−ＯＰ（＝Ｒa）（Ｒb）Ｒcであり、Ｒ2またはＲ3のうちの他方は、酵素、レセプター、レセプターリガンド、抗体、糖タンパク質、アプタマーまたはプリオンへの共有結合を含むリンカーまたは固体支持体への共有結合を含むリンカーである、請求項１〜８のいずれか１項に記載の化合物。
【請求項１３】
Ｍは、各存在において、独立して、ジメチルアミノスチルベン、キナクリドン、フルオロフェニル−ジメチル−ＢＯＤＩＰＹ、ｈｉｓ−フルオロフェニル−ＢＯＤＩＰＹ、アクリジン、テリレン、セキシフェニル、ポルフィリン、ベンゾピレン、（フルオロフェニル−ジメチル−ジフルオロボラ−ジアザ−インダセン）フェニル、（ビス−フルオロフェニル−ジフルオロボラ−ジアザ−インダセン）フェニル、クアテルフェニル、ビ−ベンゾチアゾール、ター−ベンゾチアゾール、ビ−ナフチル、ビ−アントラシル、スクアライン、スクアリリウム、９，１０−エチニルアントラセンまたはター−ナフチル部分である、請求項１に記載の化合物。
【請求項１４】
Ｍは、各存在において、独立して、ピレン、ペリレン、ペリレンモノイミドもしくは６−ＦＡＭまたはその誘導体である、請求項１に記載の化合物。
【請求項１５】
Ｍは、各存在において、独立して、以下の構造：
【化５】
2019522688.tif 000005
のうちの１つを有する、請求項１に記載の化合物。
【請求項１６】
以下の構造：
【化６】
2019522688.tif 000006
を有する化合物であって、ここでｙは、１より大きな整数である、化合物。
【請求項１７】
サンプルを染色するための方法であって、該方法は、該サンプルに、請求項１〜１６のいずれか１項に記載の化合物を、該サンプルが適切な波長で照射される場合に光学的応答を生じるために十分な量で添加する工程を包含する方法。
【請求項１８】
分析物分子を視覚的に検出するための方法であって、該方法は、
（ａ）Ｒ2またはＲ3は、該分析物分子への共有結合を含むリンカーである請求項１〜１５のいずれか１項に記載の化合物を提供する工程；および
（ｂ）該化合物をその視覚的特性によって検出する工程、
を包含する方法。
【請求項１９】
分析物分子を視覚的に検出するための方法であって、該方法は、
（ａ）Ｒ2またはＲ3は、ＱまたはＱへの共有結合を含むリンカーである請求項１〜１５のいずれか１項に記載の化合物と、該分析物分子とを混合する工程；
（ｂ）該化合物および該分析物分子の結合体を形成する工程；ならびに
（ｃ）該結合体をその視覚的特性によって検出する工程、
を包含する方法。
【請求項２０】
請求項１〜１６のいずれか１項に記載の化合物および１もしくはこれより多くの分析物分子を含む、組成物。
【請求項２１】
前記１もしくはこれより多くの分析物分子の検出のための分析方法における請求項２０に記載の組成物の使用。
【請求項２２】
サンプル中の死細胞の存在を決定するための方法であって、該方法は、該サンプルと請求項１〜１６のいずれか１項に記載の化合物とを接触させ、それによって、該化合物と該死細胞とを結合または会合させる工程、および該死細胞と結合または会合した該化合物からの蛍光シグナルを観察する工程を包含する方法。
【請求項２３】
請求項１〜１６のいずれか１項に記載の化合物およびシクロデキストリンを含む組成物。
【手続補正２】
【補正対象書類名】明細書
【補正対象項目名】０２１１
【補正方法】変更
【補正の内容】
【０２１１】
前述から、本発明の具体的実施形態が例証目的のために本明細書で記載されてきたものの、本発明の趣旨および範囲から逸脱することなく、種々の改変がなされ得ることは認識される。よって、本発明は、添付の特許請求の範囲による場合を除いて限定されない。
本発明のまた別の態様は、以下のとおりであってもよい。
〔１〕
以下の構造（Ｉ）：
【化２６】
2019522688.tif 000007
を有する化合物、またはその立体異性体、塩もしくは互変異性体であって、ここで
Ｍは、各存在において、独立して、２個またはこれより多くの炭素−炭素二重結合および少なくとも１の共役度を含む一価の部分であり；
Ｍ′は、各存在において、独立して、２個またはこれより多くの炭素−炭素二重結合および少なくとも１の共役度を含む二価の部分であり；
Ｌ、Ｌ2およびＬ3は、各存在において、独立して、選択肢的なアルキレン、アルケニレン、アルキニレン、ヘテロアルキレン、ヘテロアルケニレン、ヘテロアルキニレンまたはヘテロ原子リンカーであり；
Ｌ1は、各存在において、独立して、ｉ）選択肢的なアルキレン、アルケニレン、アルキニレン、ヘテロアルキレン、ヘテロアルケニレン、ヘテロアルキニレンもしくはヘテロ原子リンカー；またはｉｉ）２個の相補的反応性基の反応によって形成できる官能基を含むリンカー、のいずれかであり；
Ｌ4は、各存在において、独立して、アルキレン、アルケニレン、アルキニレン、ヘテロアルキレン、ヘテロアルケニレン、炭素環式または複素環式リンカーであり；
Ｒ1は、各存在において、独立して、Ｈ、アルキルまたはアルコキシであり；
Ｒ2およびＲ3は、各々独立して、Ｈ、ＯＨ、ＳＨ、アルキル、アルコキシ、アルキルエーテル、ヘテロアルキル、−ＯＰ（＝Ｒa）（Ｒb）Ｒc、ＱまたはＬ’であり；
Ｒ4は、各存在において、独立して、ＯＨ、ＳＨ、Ｏ-、Ｓ-、ＯＲdまたはＳＲdであり；
Ｒ5は、各存在において、独立して、オキソ、チオキソまたは非存在であり；
Ｒaは、ＯまたはＳであり；
Ｒbは、ＯＨ、ＳＨ、Ｏ-、Ｓ-、ＯＲdまたはＳＲdであり；
Ｒcは、ＯＨ、ＳＨ、Ｏ-、Ｓ-、ＯＲd、ＯＬ’、ＳＲd、アルキル、アルコキシ、ヘテロアルキル、ヘテロアルコキシ、アルキルエーテル、アルコキシアルキルエーテル、ホスフェート、チオホスフェート、ホスホアルキル、チオホスホアルキル、ホスホアルキルエーテルまたはチオホスホアルキルエーテルであり；
Ｒdは、対イオンであり；
Ｑは、各存在において、独立して、分析物分子、標的化部分、固体支持体または相補的反応性基Ｑ′と共有結合を形成できる反応性基またはその保護されたアナログを含む部分であり；
Ｌ’は、各存在において、独立して、Ｑへの共有結合を含むリンカー、標的化部分への共有結合を含むリンカー、分析物分子への共有結合を含むリンカー、固体支持体への共有結合を含むリンカー、固体支持体残基への共有結合を含むリンカー、ヌクレオシドへの共有結合を含むリンカーまたは構造（Ｉ）のさらなる化合物への共有結合を含むリンカーであり；
ｍ1およびｍ2は、各存在において、独立して、０またはこれより大きな整数であり；
ｎ、ｘおよびｙは、各々独立して、ｚの各整数値に対して０またはこれより大きな整数であり；そして
ｚは、１またはこれより大きな整数であるが、
ただしｘは、ｚの少なくとも１個の整数値に対して１またはこれより大きく、かつｎまたはｙのうちの少なくとも一方は、ｚの少なくとも１個の整数値に対して１またはこれより大きい、
化合物、またはその立体異性体、塩もしくは互変異性体。
〔２〕
ｙは、ｚの少なくとも１個の整数値に対して１またはこれより大きい、前記〔１〕に記載の化合物。
〔３〕
ｎは、ｚの少なくとも１個の整数値に対して１またはこれより大きい、前記〔１〕または〔２〕に記載の化合物。
〔４〕
以下の構造（ＩＡ）：
【化２７】
2019522688.tif 000008
を有し、ここでｙは、１またはこれより大きな整数である、前記〔１〕に記載の化合物。
〔５〕
ｙは、１〜１０の整数である、前記〔４〕に記載の化合物。
〔６〕
Ｌは、各存在において、独立して、Ｃ1−Ｃ6アルキレンリンカーである、前記〔１〕〜〔５〕のいずれか１項に記載の化合物。
〔７〕
Ｍ′は、各存在において、独立して、二価：ジメチルアミノスチルベン、キナクリドン、フルオロフェニル−ジメチル−ＢＯＤＩＰＹ、ｈｉｓ−フルオロフェニル−ＢＯＤＩＰＹ、アクリジン、テリレン、セキシフェニル、ポルフィリン、ベンゾピレン、（フルオロフェニル−ジメチル−ジフルオロボラ−ジアザ−インダセン）フェニル、（ビス−フルオロフェニル−ジフルオロボラ−ジアザ−インダセン）フェニル、クアテルフェニル、ビ−ベンゾチアゾール、ター−ベンゾチアゾール、ビ−ナフチル、ビ−アントラシル、スクアライン、スクアリリウム、９，１０−エチニルアントラセンまたはター−ナフチル部分である、前記〔１〕〜〔６〕のいずれか１項に記載の化合物。
〔８〕
Ｍ′は、各存在において、独立して、二価：ｐ−ターフェニル、ペリレン、アゾベンゼン、フェナジン、フェナントロリン、アクリジン、チオキサントレン、クリセン、ルブレン、コロネン、シアニン、ペリレンイミドもしくはペリレンアミド、またはこれらの誘導体である、前記〔１〕〜〔６〕のいずれか１項に記載の化合物。
〔９〕
Ｍ′は、各存在において、独立して、二価：クマリン染料、レゾルフィン染料、ジピロメテンボロンジフルオリド染料、ルテニウムビピリジル染料、エネルギー移動染料、チアゾールオレンジ染料、ポリメチンまたはＮ−アリール−１，８−ナフタルイミド染料である、前記〔１〕〜〔６〕のいずれか１項に記載の化合物。
〔１０〕
Ｍ′は、各存在において、独立して、二価：ピレン、ペリレン、ペリレンモノイミドもしくは６−ＦＡＭ、またはこれらの誘導体である、前記〔１〕〜〔６〕のいずれか１項に記載の化合物。
〔１１〕
Ｍ′は、各存在において、独立して、以下の構造：
【化２８】
2019522688.tif 000009
のうちの１つを有する、前記〔１〕〜〔６〕のいずれか１項に記載の化合物。
〔１２〕
Ｍ′は、各存在において、以下の構造：
【化２９】
2019522688.tif 000010
を有する、前記〔１〕〜〔６〕のいずれか１項に記載の化合物。
〔１３〕
Ｒ4は、各存在において、独立して、ＯＨ、Ｏ-またはＯＲdである、前記〔１〕〜〔１２〕のいずれか１項に記載の化合物。
〔１４〕
Ｒ5は、各存在において、オキソである、前記〔１〕〜〔１３〕のいずれか１項に記載の化合物。
〔１５〕
Ｒ1は、Ｈである、前記〔１〕〜〔１４〕のいずれか１項に記載の化合物。
〔１６〕
Ｒ2およびＲ3は、各々独立して、ＯＨまたは−ＯＰ（＝Ｒa）（Ｒb）Ｒcである、前記〔１〕〜〔１５〕のいずれか１項に記載の化合物。
〔１７〕
Ｒ2またはＲ3のうちの一方は、ＯＨまたは−ＯＰ（＝Ｒa）（Ｒb）Ｒcであり、Ｒ2またはＲ3のうちの他方は、ＱまたはＱへの共有結合を含むリンカーである、前記〔１〕〜〔１５〕のいずれか１項に記載の化合物。
〔１８〕
Ｑは、求核性反応性基、求電子性反応性基または環化付加反応性基を含む、前記〔１〕〜〔１５〕または〔１７〕のいずれか１項に記載の化合物。
〔１９〕
Ｑは、スルフヒドリル、ジスルフィド、活性化エステル、イソチオシアネート、アジド、アルキン、アルケン、ジエン、ジエノフィル、酸ハライド、スルホニルハライド、ホスフィン、α−ハロアミド、ビオチン、アミノまたはマレイミド官能基を含む、前記〔１８〕に記載の化合物。
〔２０〕
前記活性化エステルは、Ｎ−スクシンイミドエステル、イミドエステルまたはポリフルオロフェニルエステルである、前記〔１９〕に記載の化合物。
〔２１〕
前記アジドは、アルキルアジドまたはアシルアジドである、前記〔１９〕に記載の化合物。
〔２２〕
Ｑは、表１から選択される部分である、前記〔１〕〜〔１５〕または〔１７〕のいずれか１項に記載の化合物。
〔２３〕
Ｒ2またはＲ3のうちの一方は、ＯＨまたは−ＯＰ（＝Ｒa）（Ｒb）Ｒcであり、Ｒ2またはＲ3のうちの他方は、分析物分子への共有結合を含むリンカーまたは固体支持体への共有結合を含むリンカーである、前記〔１〕〜〔１５〕のいずれか１項に記載の化合物。
〔２４〕
前記分析物分子は、核酸、アミノ酸またはこれらのポリマーである、前記〔２３〕に記載の化合物。
〔２５〕
前記分析物分子は、酵素、レセプター、レセプターリガンド、抗体、糖タンパク質、アプタマーまたはプリオンである、前記〔２３〕に記載の化合物。
〔２６〕
前記固体支持体は、ポリマービーズまたは非ポリマービーズである、前記〔２３〕に記載の化合物。
〔２７〕
Ｍは、各存在において、独立して、４個もしくはこれより多くのアリールもしくはヘテロアリール環、またはこれらの組み合わせを含む部分である、前記〔１〕〜〔３〕のいずれか１項に記載の化合物。
〔２８〕
Ｍは、各存在において、独立して、蛍光性または有色である、前記〔１〕〜〔３〕のいずれか１項に記載の化合物。
〔２９〕
Ｍは、蛍光性である、前記〔２８〕に記載の化合物。
〔３０〕
Ｍは、各存在において、独立して、少なくとも４個の縮合環を含む縮合多環式アリール部分を含む、前記〔１〕〜〔３〕のいずれか１項に記載の化合物。
〔３１〕
Ｍは、各存在において、独立して、ジメチルアミノスチルベン、キナクリドン、フルオロフェニル−ジメチル−ＢＯＤＩＰＹ、ｈｉｓ−フルオロフェニル−ＢＯＤＩＰＹ、アクリジン、テリレン、セキシフェニル、ポルフィリン、ベンゾピレン、（フルオロフェニル−ジメチル−ジフルオロボラ−ジアザ−インダセン）フェニル、（ビス−フルオロフェニル−ジフルオロボラ−ジアザ−インダセン）フェニル、クアテルフェニル、ビ−ベンゾチアゾール、ター−ベンゾチアゾール、ビ−ナフチル、ビ−アントラシル、スクアライン、スクアリリウム、９，１０−エチニルアントラセンまたはター−ナフチル部分である、前記〔１〕〜〔３〕のいずれか１項に記載の化合物。
〔３２〕
Ｍは、各存在において、独立して、ｐ−ターフェニル、ペリレン、アゾベンゼン、フェナジン、フェナントロリン、アクリジン、チオキサントレン、クリセン、ルブレン、コロネン、シアニン、ペリレンイミド、もしくはペリレンアミドまたはその誘導体である、前記〔１〕〜〔３〕のいずれか１項に記載の化合物。
〔３３〕
Ｍは、各存在において、独立して、クマリン染料、レゾルフィン染料、ジピロメテンボロンジフルオリド染料、ルテニウムビピリジル染料、エネルギー移動染料、チアゾールオレンジ染料、ポリメチンまたはＮ−アリール−１，８−ナフタルイミド染料である、前記〔１〕〜〔３〕のいずれか１項に記載の化合物。
〔３４〕
Ｍは、各存在において、独立して、ピレン、ペリレン、ペリレンモノイミドもしくは６−ＦＡＭまたはその誘導体である、前記〔１〕〜〔３〕のいずれか１項に記載の化合物。
〔３５〕
Ｍは、各存在において、独立して、以下の構造：
【化３０】
2019522688.tif 000011
のうちの１つを有する、前記〔１〕〜〔３〕のいずれか１項に記載の化合物。
〔３６〕
ｍ2は、各存在において１である、前記〔１〕〜〔３〕のいずれか１項に記載の化合物。
〔３７〕
ｍ1は、各存在において、独立して、１〜１０の整数である、前記〔１〕〜〔３〕または〔３６〕のいずれか１項に記載の化合物。
〔３８〕
Ｌ4は、各存在において、独立して、アルキレンまたはアルキレンオキシドリンカーである、前記〔１〕〜〔３〕、〔３６〕、または〔３７〕のいずれか１項に記載の化合物。
〔３９〕
以下の構造：
【化３１】
2019522688.tif 000012
を有する化合物であって、ここでｙは、１より大きな整数である、化合物。
〔４０〕
ｙは、１〜１０の整数である、前記〔３９〕に記載の化合物。
〔４１〕
サンプルを染色するための方法であって、該方法は、該サンプルに、前記〔１〕〜〔４０〕のいずれか１項に記載の化合物を、該サンプルが適切な波長で照射される場合に光学的応答を生じるために十分な量で添加する工程を包含する方法。
〔４２〕
前記光学的応答は、蛍光応答である、前記〔４１〕に記載の方法。
〔４３〕
前記サンプルは、細胞を含む、前記〔４１〕〜〔４２〕のいずれか１項に記載の方法。
〔４４〕
前記細胞をフローサイトメトリーによって観察する工程をさらに包含する、前記〔４３〕に記載の方法。
〔４５〕
前記蛍光応答を、検出可能に異なる光学的特性を有する第２の発蛍光団の蛍光応答から区別する工程をさらに包含する、前記〔４２〕に記載の方法。
〔４６〕
分析物分子を視覚的に検出するための方法であって、該方法は、
（ａ）Ｒ2またはＲ3は、該分析物分子への共有結合を含むリンカーである前記〔１〕〜〔３８〕のいずれか１項に記載の化合物を提供する工程；および
（ｂ）該化合物をその視覚的特性によって検出する工程、
を包含する方法。
〔４７〕
分析物分子を視覚的に検出するための方法であって、該方法は、
（ａ）Ｒ2またはＲ3は、ＱまたはＱへの共有結合を含むリンカーである前記〔１〕〜〔３８〕のいずれか１項に記載の化合物と、該分析物分子とを混合する工程；
（ｂ）該化合物および該分析物分子の結合体を形成する工程；ならびに
（ｃ）該結合体をその視覚的特性によって検出する工程、
を包含する方法。
〔４８〕
前記〔１〕〜〔３９〕のいずれか１項に記載の化合物および１もしくはこれより多くの分析物分子を含む、組成物。
〔４９〕
前記１もしくはこれより多くの分析物分子の検出のための分析方法における前記〔４８〕に記載の組成物の使用。
〔５０〕
サンプル中の死細胞の存在を決定するための方法であって、該方法は、該サンプルと前記〔１〕〜〔４０〕のいずれか１項に記載の化合物とを接触させ、それによって、該化合物と該死細胞とを結合または会合させる工程、および該死細胞と結合または会合した該化合物からの蛍光シグナルを観察する工程を包含する方法。
〔５１〕
前記死細胞と結合または会合した前記化合物を観察するためのフローサイトメトリーの使用をさらに包含する、前記〔５０〕に記載の方法。
〔５２〕
Ｒ2およびＲ3は、各々独立して、ＯＨまたは−ＯＰ（＝Ｒa）（Ｒb）Ｒcである、前記〔５０〕または〔５１〕のいずれか１項に記載の方法。
〔５３〕
前記〔１〕〜〔４０〕のいずれか１項に記載の化合物およびシクロデキストリンを含む組成物。
〔５４〕
前記シクロデキストリンは、α−シクロデキストリン、β−シクロデキストリンまたはγ−シクロデキストリンである、前記〔５３〕に記載の組成物。
〔５５〕
前記組成物は、水を含む、前記〔５３〕または〔５４〕のいずれか１項に記載の組成物。